(57)【特許請求の範囲】
【請求項１】
第１の記録媒体に記録されている１つのファイルを、前記１つのファイルよりも小さい所定の大きさのデータに区切って出力する送信手段と、
この送信手段により出力されたデータを第２の記録媒体に記録する記録手段と、
前記送信手段が前記所定の大きさのデータを前記記録手段に出力する毎に、前記第１の記録媒体に記録されている前記出力したデータを消去する消去手段と、
前記送信手段から送信されるデータに終了フラグを付加する終了フラグ付加手段と、
前記終了フラグを付加したデータの次に前記第１の記録媒体に記録されていたデータから、次に再生開始するための位置情報を記憶する位置記憶手段と、
前記位置記憶手段に記憶されている位置情報に基づいて、前記終了フラグを付加したデータの直後から再生再開する再開手段と、
前記送信手段によるデータ出力中に、電源をオフするための電源オフ信号が入力されたとき、前記終了フラグを付加したデータ迄を前記記録手段へ出力し、前記位置記憶手段による前記位置情報を記憶した後に電源をオフにする電源オフ手段と、
前記送信手段より前記終了フラグが付加されたデータが入力されたとき、前記記録手段に前記終了フラグが付加されたデータ迄を前記第２の記録媒体に記録させると共にこの記録終了位置を記憶し、前記再開手段による再生再開時に前記第２の記録媒体に記憶されている前記記録終了位置に続くデータとして記録させることにより、記録再開前のデータと連続したデータとして記録を再開させる制御手段とを備えたことを特徴とする記録再生装置。
【請求項２】
前記再開手段による再生再開を、前記電源オフ手段による電源オフ後、この電源がオンしたとき自動的に実行することを特徴とする請求項１に記載の再生記録装置。
【請求項３】
前記電源オフ手段は、前記送信手段によるデータ出力中に前記電源オフ信号が入力されたとき、所定の時間前記電源オフ信号を受け付けないことを特徴とする請求項１に記載の再生記録装置。
【請求項４】
第1の記録媒体に記録されている１つのファイルを、前記１つのファイルよりも小さい所定の大きさのデータに区切って記録手段に出力し、
その出力された前記所定の大きさのデータを入力して第２の記録媒体に記録し、
前記所定の大きさのデータを前記記録手段に出力する毎に、前記記録媒体に記録されている前記出力したデータを消去し、
前記所定の大きさのデータを出力中に、電源をオフするための電源オフ信号を入力したとき、前記所定の大きさのデータに終了フラグを付加し、
前記終了フラグを付加したデータの次に前記第１の記録媒体に記録されていたデータから、次に再生開始するための位置情報を記憶し、
前記所定の大きさのデータ出力中に、電源をオフするための電源オフ信号が入力されたとき、前記終了フラグを付加したデータ迄を出力すると共に、前記位置情報を記憶した後に電源をオフし、
その電源がオンした後、前記位置情報に基づいて、前記終了フラグを付加したデータの直後から再生再開し、
前記終了フラグが付加されたデータが前記記録手段に入力されたとき、前記終了フラグが付加されたデータ迄を第２の記録媒体に記録させると共にこの記録終了位置を記憶し、前記再生再開時に前記第２の記録媒体に記憶されている前記記録終了位置に続くデータとして記録させることにより、記録再開前のデータと連続したデータとして記録を再開させることを特徴とする記録再生方法。
【発明の詳細な説明】
【０００１】
【発明の属する技術分野】
この発明は、ＡＶ（オーディオ・ビデオ）コンテンツを扱う装置に関し、特にＨＤＤレコーダー及びＨＤＤ内蔵装置ＳＴＢ（セット・トップ・ボックス）、パーソナルコンピュータ等のコンテントプロテクション技術を備えた記録再生装置および記録再生方法に関する。
【０００２】
【従来の技術】
近年、放送により送られたコンテンツ（映像・音声による番組、データ放送による番組、データ放送によるデータ等）を、内蔵ハートディスクドライブ（以下、ＨＤＤと記す）に記録し、生で放送により送られた番組を記録しながら、ＨＤＤに記録された番組を視聴する装置や、記録可能なＤＶＤやＶＴＲにテンポラリーに記録するＨＤＤを内蔵する装置が各社から販売され始めている。
【０００３】
このような装置に対し、このように著作権者から様々な要望が出されており、現在、ＡＲＩＢでのｅプラットフォームや、５Ｃと著作権者間で討議が行なわれており、具体的には、デジタル放送では信号をコピーしても劣化しないため、例えば内蔵ＨＤＤに記録して９０分経過したら自動的に記録した内容を消すことや、内蔵するＨＤＤからの再生出力すると同時に、このＨＤＤの再生した部分（もとのコンテンツ）を消すＭＯＶＥ（ムーブ）等の規格化が進行している。
【０００４】
従来の再生装置および再生方法、受信装置について図４および図５を用いて詳細に説明する。
【０００５】
図４は、従来の再生装置および再生方法、受信装置であるＨＤＤ内蔵録再ＤＶＤを説明するためのブロック図である。この録画・再生可能なＤＶＤおよびＨＤＤを内蔵した装置、いわゆるＨＤＤ内蔵録再ＤＶＤは、ＨＤＤからＤＶＤ−ＲＡＭへのＭＯＶＥの動作をする。
【０００６】
図４のＨＤＤ内蔵録再ＤＶＤ４０において、コンテンツ４１がビデオ／音声入力端子４２を介して入力され、ＨＤＤ内蔵録再ＤＶＤ４０内のＨＤＤ４３に一旦全て記録される。このビデオ／音声入力端子４２に入力されるコンテンツ４１は、現在は地上波放送等アナログ信号をＭＰＥＧエンコードした信号だが、将来は図示しないデジタル放送受信部により受信された信号の他、ＤＶＨＳ等の他の再生装置から再生された信号等の場合も考えられる。
【０００７】
このＨＤＤ４３に一旦全て記録されたコンテンツ４１の中から、ユーザーが一部のコンテンツ４１のみについてＤＶＤ−ＲＡＭディスク４４を用いて再生視聴を望む場合、ＨＤＤ内蔵録再ＤＶＤ４０内の図示しない制御装置は、この一部のコンテンツ４１のみを、ＨＤＤ４３から記録可能なＤＶＤ−ＲＡＭディスク４４に記録指示する。すると記録指示した一部のコンテンツ４１のみがＩＤＥインタフェース４５等を経由してＨＤＤ内蔵録再ＤＶＤ４０内のＨＤＤ４３からＤＶＤ−ＲＡＭディスク４４に記録される。
【０００８】
このときコンテンツ４１がコピー，移動，再生等の理由で、一度再生したら消去されなければならないコンテンツである場合には、ＨＤＤ４３に記録されているコンテンツ４１の記録は、ＤＶＤ−ＲＡＭディスク４４に記録のためにＨＤＤ４３から再生出力された時点で、再生出力された部分のコンテンツ４１のみがＨＤＤ４３から消去される。このように再生出力と同時に再生元の記録内容を消去する。これら動作のことをＭＯＶＥと呼んでいる。
【０００９】
図５は、従来の再生装置および再生方法、受信装置であるＨＤＤ内蔵セット・トップ・ボックス（以下、ＨＤＤ内蔵ＳＴＢと記す）を説明するためのブロック図である。このＨＤＤ内蔵ＳＴＢは、ＨＤＤからデジタルＴＶ（ディスプレイ）へのＭＯＶＥの動作をする。
【００１０】
図５のＨＤＤ内蔵ＳＴＢ５０において、コンテンツ５１がビデオ／音声入力端子５２を介して入力され、ＨＤＤ内蔵ＳＴＢ５０内のＨＤＤ５３に一旦全て記録される。このビデオ／音声入力端子５２に入力されるコンテンツ５１は、図示しないデジタル放送受信部により受信された信号の他、ＤＶＨＳ等の他の再生装置から再生された信号の場合もあり得る。
【００１１】
このＨＤＤ５３に一旦全て記録されたコンテンツ５１の中から、ユーザーが一部のコンテンツ５１のみについてデジタルＴＶ５４を用いて再生視聴を望む場合、ＨＤＤ内蔵ＳＴＢ５０内の図示しない制御装置は、この一部のコンテンツ５１のみを、ＨＤＤ５３からＩＤＥインタフェースやＩＥＥＥ１３９４インターフェース５５を経由してデジタルＴＶ５４に出力指示する。これによりデジタルＴＶ５４で上記一部のコンテンツが再生視聴される。
【００１２】
このときコンテンツ５１がコピー，移動，再生等の理由で、一度再生したら消去されなければならないコンテンツである場合には、ＨＤＤ５３に記録されているコンテンツ５１の記録は、デジタルＴＶ５４で再生視聴のためにＨＤＤ５３から再生出力された時点で、再生出力された部分のコンテンツ５１のみがＨＤＤ５３から消去される。
【００１３】
このようにコンテンツが一度のみ再生のために記録可能といった場合には、例えばユーザーが席を外したいといったとき等に、再生をポーズ状態として、席に戻る迄の間ＨＤＤに番組を記録させておき、席に戻ってきてから席を外す前のシーンから引き続き番組を視聴するといった使い方が可能である。
【００１４】
このように受信側の装置が図４で説明したような記録機能を備えた装置でなく、デジタルＴＶ等に再生視聴する場合にも、再生出力と同時に再生元の記録内容を消去する。これら動作のことをＭＯＶＥと呼んでいる。
【００１５】
このＭＯＶＥの動作時の消去とは、イレースヘッドで実際に再生出力したコンテンツの部分を消しても良いし、記録されているアドレス値を消すことで、結局ＨＤＤがその部分を再生できない等、正常には絶対再生できない仕組みにすることであっても良い。
【００１６】
上記ＭＯＶＥの動作の中で、ＨＤＤからの再生出力と同時に、ＨＤＤから再生済みのコンテンツ記録部分（もとのコンテンツ）を消す方法としては再生出力（コピー）した直後消去するか、或いは再生出力（コピー）してから一定時間経過後に消去していくこととなり、全部再生出力が終えてからコンテンツを消したり、番組単位でコンテンツを消したり、一旦バッファ等にコピーしてから消すといった動作はセキュリティ上好ましくない。
【００１７】
このようなＭＯＶＥの従来技術では、ＭＯＶＥの途中で電源がオフされて中断されてしまうことが何ら考慮されていない。
【００１８】
このように従来の再生装置および再生方法、受信装置においては、ＭＯＶＥは全部出力（又はコピー）してから、元のコンテンツを消すのではなく、再生出力（コピーした）した後、一定時間後に再生出力（コピーした）したＨＤＤコンテンツについて消去していくことになるので、ＩＥＥＥ１３９４等のネットワーク等他機器からの電源オフコマンドやユーザーのリモコン誤操作も含めて、ＭＯＶＥの動作途中の装置に電源オフ要求がきて装置の電源がオフされてＭＯＶＥ動作が中断されると、元のストリームは中途半端なところで消去されてしまっているので送信側でも受信側でもＭＯＶＥしたコンテンツを復元することができなくなり、コンテンツの一部或いは全部が再生不可能になってしまうという問題がある。
【００１９】
パーソナルコンピュータのファイル移動の技術には、ファイル保護の為に、一旦全部コピーをし、元のファイルとベリファイをして、一致していることを確認後、もとのファイルを消去するという方法をとっているＯＳもあるが、バックアップすること自体が一度の再生出力となるのでＡＶコンテンツの場合には著作権側の意向上、許されない。
【００２０】
【発明が解決しようとする課題】
上記したように、ＩＥＥＥ１３９４等のネットワーク等からも含めて、ＭＯＶＥの動作途中の装置に電源オフ要求がきて装置の電源がオフされて動作が中断されると、元のストリームを復元することができなくなり、コンテンツの一部或いは全部が再生不可能になってしまうという問題があった。
【００２１】
この発明は、バックアップを作成することなくＭＯＶＥすることができ、しかもＭＯＶＥの動作中に装置の電源オフされたときのコンテンツの破壊を防ぐ再生装置および再生方法、受信装置を提供することを目的とする。
【００２２】
【課題を解決するための手段】
上記の目的を達成するために、この発明の請求項１の記録再生装置においては、第１の記録媒体に記録されている１つのファイルを、その１つのファイルよりも小さい所定の大きさのデータに区切って出力する送信手段と、この送信手段により出力されたデータを第２の記録媒体に記録する記録手段と、送信手段が所定の大きさのデータを記録手段に出力する毎に、第１の記録媒体に記録されている出力したデータを消去する消去手段と、送信手段から送信されるデータに終了フラグを付加する終了フラグ付加手段と、終了フラグを付加したデータの次に第１の記録媒体に記録されていたデータから、次に再生開始するための位置情報を記憶する位置記憶手段と、位置記憶手段に記憶されている位置情報に基づいて、終了フラグを付加したデータの直後から再生再開する再開手段と、送信手段によるデータ出力中に、電源をオフするための電源オフ信号が入力されたとき、終了フラグを付加したデータ迄を記録手段へ出力し、位置記憶手段による位置情報を記憶した後に電源をオフにする電源オフ手段と、送信手段より終了フラグが付加されたデータが入力されたとき、記録手段に終了フラグが付加されたデータ迄を第２の記録媒体に記録させると共にこの記録終了位置を記憶し、再開手段による再生再開時に第２の記録媒体に記憶されている記録終了位置に続くデータとして記録させることにより、記録再開前のデータと連続したデータとして記録を再開させる制御手段とを備えている。
【００２８】
【発明の実施の形態】
（第１の実施の形態）
以下、本発明の再生装置および再生方法、受信装置の第１の実施の形態について図１および図２を用いて詳細に説明する。
【００２９】
なお、従来の技術で説明した図４および図５のいずれの場合でもＭＯＶＥという動作では同じである。図１ではＭＯＶＥの送信側の装置、ＭＯＶＥの受信側の装置ということで区別して説明するが、受信側の装置で記録するか否かについてはで分れるので、まずは受信側で記録する場合で説明する。
【００３０】
（受信側で記録する場合）
図１は、送信側の再生装置および再生方法、受信装置を説明するためのブロック図である。
【００３１】
図１の再生装置および再生方法、受信装置は、コンテンツを記録及び出力する。
【００３２】
図１において、放送入力またはビデオ／音声入力であるコンテンツ１０１が入力処理部１０２へ入力される。
【００３３】
入力処理部１０２は、コンテンツ１０１を所望の入力ストリームから、ＨＤＤに記録するストリームを選択する処理、例えばデジタル放送受信機では、チューナー及び、選択されたチャンネルに該当するトランスポートストリームをデマルチプレクサする等の入力処理し、記録ストリーム処理部１０３へ出力する。
【００３４】
記録ストリーム処理部１０３は、入力処理部１０２から入力された信号をＨＤＤ１０４に記録する記録ストリームへ抽出・加工し、ＨＤＤ１０４へ出力する。
【００３５】
記録再生制御部１０８は、記録ストリーム処理部１０３がＨＤＤ１０４へ出力した信号をＨＤＤ１０４へ記録する。例えば、この記録再生装置１００がデジタル放送を受信するＳＴＢの場合には、記録ストリーム処理部１０３はトランスポート・ストリームの形で処理し、記録再生制御部１０８によりＨＤＤ１０４に記録する。また、この記録再生装置１００がＤＶＤの場合には、記録ストリーム処理部１０３はプログラム・ストリームの形で処理し、記録再生制御部１０８によりＨＤＤ１０４に記録する。
【００３６】
またＨＤＤ１０４に記録するとき暗号化する必要がある場合には、記録ストリーム処理部１０３でストリームを暗号化し、この暗号化した信号を記録再生制御部１０８によりＨＤＤ１０４に記録する。暗号を再生時解く（復号する）ためのデータ（暗号鍵）もストリームと共にＨＤＤ１０４に記録しておく。
【００３７】
この実施の形態では、ＨＤＤ１０４に予めコピー，移動，再生等の理由で、一度再生したら消去されなければならないコンテンツが記録されているものとして説明する。
【００３８】
これを図２の受信側の装置にＭＯＶＥで出力する。図２の受信側の装置は図４に示したように送信側と同一装置内の場合もあり得るし、図５に示したように別の装置の場合もあり得る。
【００３９】
ＭＯＶＥで出力するために、記録再生制御部１０８は、記録再生制御部１０８がＨＤＤ１０４に記録したコンテンツの内、再生要求されたコンテンツを検索して該当コンテンツを再生する。この再生によりＨＤＤ１０４は再生ストリームを再生し、これを再生ストリーム処理部１０５に入力する。再生ストリーム処理部１０５は、ＨＤＤ１０４から入力された再生ストリームを復調・誤り訂正などの再生信号処理、及び後述する暗号鍵による暗号復号処理を行ない、付加部１１０を介してパケット化部１１２へ出力する。
【００４０】
パケット化部１１２は、ＭＯＶＥのインターフェースフォーマットにパケット化し、このパケット化されたパケットデータを、出力処理部１１３を介してＭＯＶＥ先である図２に示す記録再生装置２００へ出力する。ＨＤＤ記録時に暗号を掛けたときには、再生ストリーム処理部１０５がＨＤＤ１０４から読み取った暗号鍵を用いて暗号を解く（暗号復号する）。出力制御部１１４は、ＭＯＶＥ先へ出力するかしないかの伝送開始，停止の制御を行う。
【００４１】
ＭＯＶＥがＩＥＥＥ１３９４インターフェースで出力する場合、出力処理部１１３はＩＥＥＥ１３９４インターフェース出力処理を行い、ＩＤＥインターフェースで出力する場合、出力処理部１１３はＩＤＥコントローラの出力処理を行うことになる。
【００４２】
このとき出力制御部１１４は、ＩＥＥＥ１３９４やＩＤＥ等、インターフェースの制御を行う処理を行うことになる。
【００４３】
このときＭＯＶＥで出力した出力データのＨＤＤ１０４に記録されるデータは直ちに、ストリーム消去処理部１０９により消去される。この消去処理部１０９は記録ストリームを全て消去しても良いし、記録ストリームを２度と再生できないようヘッダーを消去したり、記録ストリームに暗号が掛かっている場合この暗号鍵をＨＤＤ１０４から消すことでも良い。
【００４４】
このようにしてＭＯＶＥの動作が開始されるわけだが、このＭＯＶＥの動作により、ユーザーが希望するコンテンツが全てＭＯＶＥで送信側の装置に出力される前に、図１に示す送信側の電源スイッチ１５１をユーザーが誤ってオフにしてしまったり、例えばネットワークに繋がっている他の装置から図１に示す送信側の装置に対して、たまたま電源オフする電源オフコマンドがＩＥＥＥ１３９４等のネットワークインターフェースを介して入力される場合がある。
【００４５】
このとき図１に示す送信側の装置は、従来技術では電源オフしてしまうが、本発明では、直ぐ電源オフしない。電源オン／オフを制御する電源オン／オフ制御部１５３は、電源スイッチ１５１が電源オフに操作されたり、ネットワークインターフェースを介して入力される電源オフ要求を電源オフ要求コマンド検出部１５２が検出すると、ＥＯＢ（Ｅｎｄ  ｏｆ  ｂｉｔ）付加部１１１によりＥＯＢを、再生ストリーム処理部１０５から出力される再生ストリームの最後に、図３に示す如く付加する。
【００４６】
図３が再生ストリームにＥＯＢを付加して、パケット化部１１２でパケット化したストリームのパケットを示す図である。
【００４７】
そして電源オン／オフ制御部１５３は、後述する受信側の装置内の受信側ＥＯＢ受信（記録）検出部２０９から、ＥＯＢを受信（記録）したことを示す通知（コマンド）を、コマンド処理部１５５を介して受信側ＥＯＢ受信（記録）検出部１５６が検出すると共に、かつ、ストリーム消去処理部１０９で、ＭＯＶＥ出力データを消去したデータがＥＯＢを付加する直前のデータ迄消去したことをＥＯＢ迄の記録データ消去検出部１５４で検出して、初めて電源オン／オフ制御部１５３は、送信側の装置の電源を電源オフにする。
【００４８】
ＥＯＢ位置記憶部１０６は、このＥＯＢを付加したデータの次に送信側の装置に送るはずであった、ＨＤＤ１０４に記録されている記録データの例えば開始位置を記憶しておく。
【００４９】
次に、上記電源オフされた後に、ユーザーやネットワークから送信側の装置の電源が初めて電源オンされた場合、送信側の装置は電源オフする前のＭＯＶＥの動作を引き続き再開する（例えば、不慮の事故で電源オフされた場合の再開動作）。この再開時、ＭＯＶＥ再開指示コマンド部１５８は、図２に示す受信側の装置にＭＯＶＥ再開指示コマンドを、コマンド処理部１５５を介して受信側の装置に出力する。
【００５０】
このＭＯＶＥ再開指示コマンドにより、受信側の装置をデータ入力可能状態にし、図１に示す送信側の装置は、ＥＯＢ位置記憶部１０６が記憶している位置を、再生位置検索部１０７へ出力する。すると記録再生制御部１０８は、ＥＯＢを付加したデータの次に送信側の装置へ送るはずであったデータ、つまりＭＯＶＥで出力した最後のデータの直後からＨＤＤ１０４を再生再開する。これによりこの再生再開されたデータは出力処理部１１３を介して図２に示す受信側の装置に出力される。
【００５１】
これにより、受信側の装置が、ＭＯＶＥ前後で切れ目の無いコンテンツを受信することができる。
【００５２】
受信側は、ＭＯＶＥ再開指示コマンドを受けると、ＥＯＢが記録されている記録データ連続したデータとして、再開指示後の、送信側からのデータを記録する。
【００５３】
以下は、送信側の電源オフしたときに、送信側からＥＯＢデータがきた時と同様の動作であるが説明を続ける。
【００５４】
次に、図２に示す受信側の装置では、ＥＯＢ検出部２０３は、入力処理部２０１で受信したデータからＥＯＢを検出すると、記録ストリーム処理部２０２によりＥＯＢの直前のデータ迄処理した信号をＨＤＤ２０７に出力させ、この出力させた信号を記録再生制御部２０６の制御により全てＨＤＤ２０７に記録させ、記録し終えたところで記録再生制御部２０６の制御により記録を停止する。
【００５５】
受信側ＥＯＢ受信（記録）検出部２０９は、ＥＯＢ検出部２０３がＥＯＢを検出した後、ＥＯＢの直前のデータ迄（きちんと記録しなければならないデータ迄）ＨＤＤ２０７に記録されたことを検出し、この検出結果を、コマンド処理部２１０を介して図１に示す送信側の装置に通知する。
【００５６】
次に、図２に示す受信側の装置では、この電源オフ後、初めて電源オンした後、ＭＯＶＥ再開指示が図１に示す送信側の装置内のＭＯＶＥ再開指示コマンド部１５８から送られてきた場合、図２に示すＭＯＶＥ再開指示コマンド部２５４は、データ出力を継続要求するコマンドを、コマンド処理部２１０を介して送信側の装置へ送信する。また、ＥＯＢ記録位置記憶部２０４は、記憶しているＭＯＶＥ記憶位置を記録開始位置検索部２０５へ出力する。すると記録再生制御部２０６は、ＥＯＢ記録位置記憶部２０４からのＭＯＶＥ記憶位置のデータに追加する形で記録を再開し、引き続きＭＯＶＥにより受信したデータを記録する。
【００５７】
再生時には、再生ストリーム処理部２０８はＨＤＤ２０７から再生された信号を処理する。
【００５８】
以上はＭＯＶＥの動作中に送信側の装置で電源オフした場合であったが、次に、送信側の装置と受信側の装置とが別電源（別装置）の場合で、ＭＯＶＥの動作中に受信側の装置の電源がオフされた場合について、更に図２も用いて詳細に説明する。
【００５９】
電源オン／オフ検出部２５１は、送信側の装置の電源オン／オフを電源スイッチや、ネットワークからの電源制御コマンドを監視しており、この監視結果を電源オン／オフ制御部２５２へ出力する。
【００６０】
電源オン／オフ制御部２５２は、電源オン／オフ検出部２５１を介して受信側の装置の図示しない電源スイッチが電源オフされたり、ネットワークに接続された他の装置から図２に示す受信側の装置に対する電源オフコマンドを受信したことを検出すると、送信停止要求コマンド部２５３に対して、送信停止を要求するための送信停止要求コマンドを、コマンド処理部２１０を介して送信側の装置へ送信するよう制御する。
【００６１】
次に、図１に示す送信側の装置では送信停止要求コマンド受信部１５７が、この送信停止要求コマンドを、コマンド処理部１５５を介して受信する。送信停止要求コマンド受信部１５７が、図２に示す受信側の装置から送信停止要求コマンドを受信すると、ＥＯＢ付加部１１１は送信データの最後にＥＯＢを付けて図２に示す受信側の装置へ送信する。
【００６２】
次に、図２に示すＥＯＢ記録位置記憶部２０４は、ＨＤＤ２０７の記録終了位置を記憶し、電源オン／オフ制御部２５２により、受信側の装置の電源をオフにする。
【００６３】
（第２の実施の形態）
別な実施の形態として、ＭＯＶＥの動作中に電源オフ要求がきた場合、あるコンテンツの区切り迄ＭＯＶＥの動作完了後迄電源オフを受け付けないシステムも考えられる。例えば、番組の切れ目や、電源オフスイッチを押してからある一定時間後で中断、ユーザーがＭＯＶＥ終了或いは中断のリモコンスイッチを押して指定した場合である。
【００６４】
この場合も、この区切り迄はＭＯＶＥの動作を行い、この区切りのところで送信側でＥＯＢを付け、第１の実施の形態と同じ処理を行えば良い。
【００６５】
（第３の実施の形態）
別な実施の形態として、ＥＯＢの付け方を代えた実施の形態について詳細に説明する。
【００６６】
電源オフ要求があってからＥＯＢを付けるのでは、ＡＣコンセントが抜かれた場合には対応することができない。これに対応するため出力データの一定パケット間隔置きにＥＯＢを付ける。また、電源オンで、送信側最後のＥＯＢの位置迄データを消去する。こうすることで、その最後にＥＯＢを付けたデータ迄の連続性が、ＡＣコンセントオフオンで保たれ、正しいＭＯＶＥの動作が継続できる。
【００６７】
なお、本発明の各実施の形態では、ＥＯＢは、最後のデータがどこまでであるか分かるようになっているのであれば、必ずしも最後のパケットの最後に挿入する必要はなく、ヘッダに入れても良い。
【００６８】
【発明の効果】
以上説明したようにこの発明によれば、ＭＯＶＥ中に中断する場合、送信側の装置は出力データに中断フラグを付け送信し、送受信装置共に中断位置を記憶しておく。そして再開するときには再開位置からＭＯＶＥを再開しているので、ＭＯＶＥ中に電源オフされても、コンテンツを破壊されたり、受信側で電源オフ前と後で、連続したコンテンツとして記録・再生することができる。
【図面の簡単な説明】
【図１】本発明の再生装置の構成を説明するためのブロック図。
【図２】本発明の受信装置の受信側の構成を説明するためのブロック図。
【図３】再生ストリームにＥＯＢを付加し、パケット化したストリームのパケットを示す図。
【図４】従来の再生装置および再生方法、受信装置であるＨＤＤ内蔵録再ＤＶＤを説明するためのブロック図。
【図５】従来の再生装置および再生方法、受信装置であるＨＤＤ内蔵セット・トップ・ボックスを説明するためのブロック図。
【符号の説明】
１００、２００…記録再生装置、１０１…コンテンツ、１０２、２０１…入力処理部、１０３…記録ストリーム処理部、１０４、２０７…ハード・ディスク・ドライブ（ＨＤＤ）、１０５…再生ストリーム処理部、１０６…ＥＯＢ位置記憶部、１０７…再生位置検索部１０７、１０８、２０６…記録再生制御部、１０９…ストリーム消去処理部、１１０…付加部、１１１…ＥＯＢ（Ｅｎｄ  ｏｆ  ｂｉｔ）付加部、１１２…パケット化部、１１３…出力処理部、１１４…出力制御部、１５１…電源スイッチ、１５２…電源オフ要求コマンド検出部、１５３、２５２…電源オン／オフ制御部、１５４…ＥＯＢ迄の記録データ消去検出部、１５５、２１０…コマンド処理部、１５６…受信側ＥＯＢ受信（記録）検出部、１５７…送信停止要求コマンド受信部、１５８、２５４…ＭＯＶＥ再開指示コマンド部、２０２…記録ストリーム処理部、２０３…ＥＯＢ検出部、２０４…ＥＯＢ記録位置記憶部、２０５…記録開始位置検索部、２０８…再生ストリーム処理部、２０９…受信側ＥＯＢ受信（記録）検出部、２５１…電源オン／オフ検出部、２５３…送信停止要求コマンド部。
【図１】
0003556608.tif 000002
【図２】
0003556608.tif 000003
【図３】
0003556608.tif 000004
【図４】
0003556608.tif 000005
【図５】
0003556608.tif 000006